(57)【要約】【課題】  水平回転調整機構を設けて肘掛け部を水平面上の広い領域内で所望の位置に容易且つ円滑に設定する位置調整を可能にすると共に、平回転調整機構を前後スライド調整機構と併用することによって一段と広範囲な水平移動を可能にする。【解決手段】  肘掛けの高さ調整機構を備えた支柱部４と、肘掛けの前後スライド調整機構を備えた肘掛け部６と、支柱部４と肘掛け部６との間を連結する回転操作部５を設け、回転操作部５には回転軸部に旋回アームを取り付けた旋回回転体４７を設け、旋回アームと回動可能に連結した肘掛け部６を円周上軌跡に沿って前後及び左右に水平移動させる水平回転調整機構を備えている肘掛け装置１である。【選択図】    図８
2005065815.tif 000002
【特許請求の範囲】
【請求項１】
肘掛けの高さ調整機構を備えた支柱部と、肘掛けの前後スライド調整機構を備えた肘掛け部と、支柱部と肘掛け部との間を連結する回転操作部を設け、回転操作部には回転軸部に旋回アームを取り付けた旋回回転体を設け、旋回アームと回動可能に連結した前記肘掛け部を円周上軌跡に沿って前後及び左右に水平移動させる水平回転調整機構を備えていることを特徴とする肘掛け装置。
【請求項２】
前記回転操作部には、前記支柱部の上端に取り付けた角度制御板と、角度制御板上で揺動回転する揺動回転体を設けた肘掛けの水平角度調整機構を備え、揺動回転体に対して前記水平回転調整機構を構成する旋回回転体の回転軸部を、回動可能に連結させる請求項１に記載した肘掛け装置。
【請求項３】
前記水平角度調整機構は、前後に配置した２体の旋回回転体をそれぞれプーリを介して前記揺動回転体に取り付けると共に、各プーリの間に伝動ベルトを架設して各旋回回転体を連動可能に連結させる請求項２に記載した肘掛け装置。
【請求項４】
前記支柱部には、下端側を固定した内筒部材に対して摺動可能に外筒部材が被着され、上部側に操作レバーを下部側に係止片を設けた昇降操作部材の中間部を、上端が前記回転操作部側と連結される支柱本体に枢着させ、昇降操作部材と支柱本体の両側に側板部材を設けて前記内筒部材内に収容させ、一方の側板部材には昇降操作部材の下部側を支柱本体側へ付勢するばね部材を設けると共に、他方の側板部材には係止片が係止するラックを設けた高さ調整機構を備えている請求項１〜３に記載した肘掛け装置。
【請求項５】
前記肘掛け部には、前後方向へスライド可能に嵌合させたスライド案内板とスライド板とを肘掛けパッドと肘掛けカバーの間に設け、スライド板は肘掛けパッド及び肘掛けカバーに対して連動可能に係止されると共に、スライド案内板には肘掛けカバーに設けた遊動案内溝孔を挿通した前記旋回回転体の旋回アームが枢着された前後スライド調整機構を備えている請求項１〜３に記載した肘掛け装置。
【発明の詳細な説明】
【技術分野】
【０００１】
本発明は、椅子などに装着する肘掛け装置であって、特に肘掛けの高さや水平面上における角度及び前後位置などを可変できるようにした肘掛け装置に関する。
【背景技術】
【０００２】
この種の肘掛け装置は、例えばＯＡ機器を載置した事務用机などと一対で使用される事務用椅子などに装着されるが、マウスやキーボードなどの入力手段を操作する際に、使用者の体型や姿勢などに適合するように肘掛けを調整し、身体に無理な負担が掛からないようにしている。
【０００３】
このような肘掛け装置については、例えば特許文献１〜３を含む各種の提案がなされており、特許文献１の場合には、上下の高さ位置調整と前後及び左右の水平スライド調整が可能であり、特許文献２の場合には、垂直角度調整と左右の水平スライド及び水平角度調整が可能であり、特許文献３の場合には、上下の高さ位置調整と左右の水平スライド調整及び水平角度調整が可能である。
【特許文献１】特開平１１−１３７３７０号公報
【特許文献２】特開平１１−１５５６８２号公報
【特許文献３】特開平１１−３３２６９４号公報
【０００４】
これら従来技術の調整機構による肘掛け装置の場合には、特に水平面上での肘掛けの移動を、直線上に沿った前後スライド又は及び左右スライドによって行っているので、水平移動範囲が限定され且つ移動操作を円滑に行うことが困難であると共に、前後スライドさせた際に通常時における肘掛け位置から大幅に移動させることができなかった。
【発明の開示】
【発明が解決しようとする課題】
【０００５】
そこで本発明では、これら従来技術の課題を解決し得る肘掛け装置を提供するものであって、特に水平回転調整機構を設けて肘掛け部を水平面上の広い領域内で所望の位置に容易且つ円滑に設定する位置調整を可能にすると共に、この平回転調整機構を前後スライド調整機構と併用することによって、一段と広範囲な水平移動が可能にすることを主たる目的とし、さらには簡単な構成で操作が容易な水平角度調整機構と高さ調整機構及び前後スライド調整機構を提供するものである。
【課題を解決するための手段】
【０００６】
本発明による肘掛け装置は、肘掛けの高さ調整機構を備えた支柱部と、肘掛けの前後スライド調整機構を備えた肘掛け部と、支柱部と肘掛け部との間を連結する回転操作部を設け、回転操作部には回転軸部に旋回アームを取り付けた旋回回転体を設け、旋回アームと回動可能に連結した前記肘掛け部を円周上軌跡に沿って前後及び左右に水平移動させる水平回転調整機構を備えている。（請求項１）
【０００７】
請求項１における回転操作部には、前記支柱部の上端に取り付けた角度制御板と、角度制御板上で揺動回転する揺動回転体を設けた肘掛けの水平角度調整機構を備え、揺動回転体に対して前記水平回転調整機構を構成する旋回回転体の回転軸部を、回動可能に連結させる形態を採ることができる。（請求項２）
【０００８】
請求項２における水平角度調整機構は、前後に配置した２体の旋回回転体をそれぞれプーリを介して前記揺動回転体に取り付けると共に、各プーリの間に伝動ベルトを架設して各旋回回転体を連動可能に連結させる形態を採ることができる。（請求項３）
【０００９】
請求項１〜３における支柱部には、下端側を固定した内筒部材に対して摺動可能に外筒部材が被着され、上部側に操作レバーを下部側に係止片を設けた昇降操作部材の中間部を、上端が前記回転操作部側と連結される支柱本体に枢着させ、昇降操作部材と支柱本体の両側に側板部材を設けて前記内筒部材内に収容させ、一方の側板部材には昇降操作部材の下部側を支柱本体側へ付勢するばね部材を設けると共に、他方の側板部材には係止片が係止するラックを設けた高さ調整機構を備えている形態を採ることができる。（請求項４）
【００１０】
請求項１〜３における肘掛け部には、前後方向へスライド可能に嵌合させたスライド案内板とスライド板とを肘掛けパッドと肘掛けカバーの間に設け、スライド板は肘掛けパッド及び肘掛けカバーに対して連動可能に係止されると共に、スライド案内板には肘掛けカバーに設けた遊動案内溝孔を挿通した前記旋回回転体の旋回アームが枢着された前後スライド調整機構を備えている形態を採ることができる。（請求項５）
【発明の効果】
【００１１】
請求項１の肘掛け装置では、従来技術でも行われているように、肘掛けの高さ調整や水平面上での角度及び前後スライド調整に加えて、旋回アームによって肘掛け部を前後の向きが変わらない姿勢で水平面上を回転させる水平回転調整機構を設け、肘掛け部を円周上軌跡に沿って前後及び左右に水平移動させることができる。
【００１２】
従って、この水平回転調整機構の場合には従来技術のように水平面上で前後スライド調整又は左右スライド調整を単独で行う場合に比べて、肘掛け部を水平面上の広い領域内で所望の位置に容易且つ円滑に設定する水平位置調整が可能であると共に、前後スライド調整機構と併用することによって一段と広範囲な水平移動が可能であり、特に１８０度旋回させた状態でスライド調整を行うと、通常位置から大幅に移動させることができる。
【００１３】
請求項２の肘掛け装置では、水平回転調整機構と支柱部の間に水平角度調整機構を設けたことによって、肘掛け部は水平角度調整を行った姿勢で水平回転調整機構による前後及び左右への水平移動操作させることができる。
【００１４】
請求項３の肘掛け装置では、２体の旋回回転体を各プーリと伝動ベルトによって連動回転させることによって、旋回アームによる肘掛け部の水平回転操作を円滑に行うことができると共に、支柱部上に肘掛け部を安定状態で支持させることができる。
【００１５】
請求項４の肘掛け装置では、操作レバーを押圧してラックに対する係止片を開放した状態で、肘掛け部を支柱部に対して押し上げ又は押し下げることによって高さ調整を行い、簡単な構造と簡単な操作によって高さ調整を行うことができる。
【００１６】
請求項５の肘掛け装置では、肘掛け部を前後にスライドさせることによって、水平回転調整機構の旋回アームに連結されたスライド案内板に嵌合したスライド板が、肘掛けパッド及び肘掛けカバーに連動して前後スライド調整を行い、簡単な構造と簡単な操作によって前後スライド調整を行うことができる。
【実施例】
【００１７】
本発明による肘掛け装置について、本発明を適用した好適な実施例を示す添付図面に基づいて詳細に説明すると、肘掛け装置１は、図１で示すように座席２を備えた椅子本体側の側面に連結具３を介して取り付けられており、図２で示すように支柱部４の上端に設けた回転操作部５を介して肘掛け部６を一体に連結している。
【００１８】
肘掛け装置１は、図３〜６の分解斜視図のように、昇降可能な支柱部４を構成する図３で示す下部側部分と、回転可能な回転操作部５を構成する図４及び図５で示す中間部分と、前後スライド可能な肘掛け部６を構成する図６で示す上部側部分とを有し、これら各部分を一体に連結することによって、図７〜９で示す組立状態にしている。
【００１９】
下部側部分は、支持アーム７の一端側に連結板８を設けて椅子本体側に取り付けると共に、支持アーム７の他端側は方形筒状に形成した内筒部材９に連結して連結具３を構成しており、内筒部材９の外側には外筒部材１０が上下方向へ摺動可能に嵌合されていると共に、内筒部材９の下端には蓋部材１１が被着されている。
【００２０】
支柱部４は、支柱本体１２とその一方側面に装着する昇降操作部材１３及び、左右一対の側板部材１４，１５を備え、昇降操作部材１３は、支柱本体１２に対して揺動支点となる中間部を枢着軸１６を介して連結され、下端側にはばね受け部１７を設けて支柱本体１２側のばね受け部１８との間にコイルばねなどによる付勢ばね部材１９を装着すると共に、下端側に設けた係止片２０を支柱本体１２側の窓孔２１に突出させている。
【００２１】
また、支柱本体１２には上端部に円盤状の連結板２２を設け、連結板２２の中央からボス２３を突設すると共に、ボス２３の両側に係止ピン２４を突設させ、昇降操作部材１３には上端側に操作レバー２５を設け、側板部材１４，１５には板面にラック２６ａ，２７ａを形成する切欠溝孔２６，２７を設け、下端には２つ割した支持筒３０（３０Ａ，３０Ｂ）が設けられている。
【００２２】
支柱部４は、支柱本体１２に対して昇降操作部材１３を連結すると共に、その両側に側板部材１４，１５を装着した状態で内筒部材９内に収容されるが、支柱本体１２の連結板２２は外筒部材１０の上端に形成した環状の受け台２８上に載置され、昇降操作部材１３の操作レバー２５は外筒部材１０の上端側側面に形成した開口部２９から突設され、側板部材１４，１５の支持筒３０（３０Ａ，３０Ｂ）は蓋部材１１に形成した受け筒３１内に装着される。
【００２３】
以上の構成による支柱部４では、支柱本体１２と昇降操作部材１３及び側板部材１４，１５を主要部材として、内筒部材９に対して外筒部材１０を昇降移動させて肘掛け部６の高さ調整を行う高さ調整機構が設けられており、常時は肘掛け部６を任意の高さ位置でロック状態にすると共に、操作レバー２５の操作でロック状態を解除して所望の高さ位置に可変することが可能である。
【００２４】
すなわち、常時は付勢ばね部材１９の付勢力によって、支柱本体１２の窓孔２１から突出した係止片２０が側板部材１５のラック２７ａに係合してロック状態であるが、操作レバー２５を押圧すると付勢ばね部材１９の付勢力に抗して、枢着軸１６を支点に昇降操作部材１３を揺動させると、係止片２０が後退してラック２７ａとの係合が解除されるので、この状態で外筒部材１０を引き上げ又は引き下げて、肘掛け部６を所望の高さ位置にした後に操作レバー２５の押圧を停止すると、調整後の高さ位置にロックされる。
【００２５】
中間部分は、図４で示すように支柱部４の上端側に連結される下部連結体５Ａと、図５で示すように肘掛け部６の底面側に連結される上部連結体５Ｂによって回転操作部５が構成されており、下部連結体５Ａ側には水平面上で内外へ所定角度ずつ揺動回転させ、肘掛け部６の首振り操作を行う水平角度調整機構を設けると共に、上部連結体５Ｂ側には水平面上で旋回させ、肘掛け部６の横及び前後移動を行う水平回転調整機構を設けている。
【００２６】
下部連結体５Ａは、角度制御板３２と揺動回転体３３及び摺動リング３４などを主要部材とし、これらを支柱部４の上部に取り付けて水平角度調整機構を構成するが、角度制御板３２には揺動範囲の両側に回転角度を規制する係止片３５を設けると共に、各係止片３５間の座面には所定角度間隔毎にリブを放射状に設けてラック３６が形成され、支柱本体１２の連結板２２に対して係止ピン２４に位置決め孔３７を嵌合し、ボス２３の外周に軸心孔３８を同心円状に配置する。
【００２７】
揺動回転体３３は、上部側の外形が略楕円状をした箱形で軸心に向けて傾斜状の底面を有する連結カバー３９と、軸心の底面側から二重筒に突設した連結筒部４０と、底面から上方へ突設したボス４１とを備え、ボス２３の外周と軸心孔３８の内周の間に、二重筒状体で形成した下部側の摺動リング３４Ａを挿入した後に、内筒が摺動リング３４Ａの溝孔に嵌合して外筒が角度制御板３２の外周に嵌合する態様で連結筒部４０を挿入する。
【００２８】
その後に、フランジ付き筒状体で形成した上部側の摺動リング３４Ｂを連結筒部４０の内筒内に嵌合させ、ばね座金４２と平座金４３を介してねじ４４を連結板２２のボス２３に設けたねじ穴に螺着すると、角度制御板３２に対して揺動回転体３３が揺動回転可能に連結されるが、角度制御板３２の係止片３５によって揺動回転体３３の揺動回転角度は規制されると共に、ラック３６によって一定角度ずつ段階的に揺動回転する水平角度調整機構を構成する。
【００２９】
上部連結体５Ｂは、プーリ４５（４５Ａ，４５Ｂ）と伝動ベルト４６及び旋回回転体４７（４７Ａ，４７Ｂ）などを主要部材とし、これらを下部連結体５Ａの上部に取り付けて水平回転調整機構を構成するが、プーリ４５は連結カバー３９のボス４１の外周に対して、二重筒状に形成した下部側の摺動リング４８Ａ（４８）を嵌合した後にその外筒の外周に嵌合させ、各プーリ４５Ａ，４５Ｂの間を保持板４９で支持すると共に、各プーリ４５Ａ，４５Ｂの間に伝動ベルト４６を架設して連動回転できるようにしている。
【００３０】
旋回回転体４７は、回転軸部の先端側に旋回アームを一体に連結し、回転軸部の底部側を摺動リング４８の内筒と外筒の間に形成した環状溝内に挿入すると共に、フランジ付き筒状体で形成した上部側の摺動リング４８Ｂ（４８）を、段付き溝孔で形成した取付け孔５０の内周とボス４１の外周との間に挿入し、ばね座金５１と平座金５２を介してねじ５３をボス４１に設けたねじ穴に螺着し、連結カバー３９に対して回転可能に連結する。
【００３１】
旋回回転体４７は、旋回アームにボス５４が突設されると共に、ボス５４の外周に環状溝穴５５が形成され、このボス５４及び環状溝穴５５を介して詳細を後述するように、旋回アームは肘掛け部６側に連結されており、この水平回転調整機構では旋回回転体４７Ａ，４７Ｂの一方を回転させると他方が連動回転し、旋回アームは円周上の軌跡を描いて旋回するので、旋回アームに連結した肘掛け部６は支柱部４上で左右及び前後方向へ移動させることができる。
【００３２】
上部側部分は、肘掛けカバー５６とスライド案内板５７とスライド板５８及び肘掛けパッド５９などを主要部材として肘掛け部６が構成されており、スライド案内板５７に対してスライド板５８が前後方向へスライド可能に係合した状態で、肘掛けカバー５６と肘掛けパッド５９の間に収容されると共に、スライド案内板５７は肘掛けカバー５６の開口部を介して上部連結体５Ｂ側に連結されている。
【００３３】
肘掛けカバー５６と肘掛けパッド５９は、いずれも略方形状をした浅い箱形形状であって、肘パット５９の内面側の四隅にはボス６０が突設され、肘掛けカバー５６の内面側の四隅には通孔を備えたボス６０の受け座金６１を設け、受け座金６１の通孔に挿入した止めねじ６２をボス６０のねじ穴に螺着して一体の箱形に形成されるが、肘掛けカバー５６には旋回回転体４７の旋回アームが突設される幅広の長円形状をした遊動案内溝孔６３（６３Ａ，６３Ｂ）が開口されている。
【００３４】
スライド案内板５７は、板面の長手方向に沿った両側に係合用突片６４を突設し、係合用突片６４には樹脂材などで形成した摺動片６５を被着すると共に、板面には底面側へ突設する筒状突起６６を設け、スライド板５８には板面の長手方向に沿った両側をコ字状に折り曲げた摺動溝６７を設けると共に、板面には遊動案内溝孔６３（６３Ａ，６３Ｂ）の内側に整合する幅狭の長円形状をしたスライド溝孔６８（６８Ａ，６８Ｂ）が開口され、摺動片６５を摺動溝６７に差し込んでスライド案内板５７とスライド板５８が長手方向へ摺動可能な状態で連結されている。
【００３５】
上部連結体５Ｂ側との連結は、旋回回転体４７の旋回アームに設けたボス５４に、二重筒状で形成した下部側の摺動リング６９Ａ（６９）を嵌合して環状溝穴５５に収容させ、スライド案内板５７に設けた筒状突起６６の先端側を、肘掛けカバー５６の遊動案内溝孔６３に挿通して、摺動リング６９Ａの内筒と外筒間に形成した環状溝に嵌合すると共に、フランジ付き筒状体で形成した上部側の摺動リング６９Ｂ（６９）を、筒状突起６６の内周とボス５４の外周の間に挿入し、ばね座金７０と平座金７１を介してねじ７２をボス５４に設けたねじ穴に螺着すると、スライド案内板５７が旋回回転体４７に連結される。
【００３６】
上部連結体５Ｂ側に連結されたスライド板５８は、肘掛けパッド５９及び肘掛けカバー５６に対しては、肘掛けパッド５９の内面四隅に突設されたボス６０によって前後及び左右の動きが規制され、スライド案内板５７に対しては、スライド溝孔６８（６８Ａ，６８Ｂ）内に頭部が頭部を突出させたねじ７２によって左右の動きが規制されているので、肘掛けパッド５９及び肘掛けカバー５６の動きに連動すると共に、スライド溝孔６８に沿った前後方向へねじ７２の頭部が可動できる範囲内でスライドが可能である。
【００３７】
以上の構成による肘掛け部６では、上部連結体５Ｂ側に連結されたスライド案内板５７と、スライド案内板５７に対して摺動可能なスライド板５８によって前後スライド調整機構が構成され、肘掛けパッド５９を前後方向にスライドさせると、回転操作部５側に固着されているスライド案内板５７との間で、肘掛けカバー５６及びスライド板５８と一緒に前後方向へ移動させることができる。
【００３８】
次に、各調整機構について図１０〜１４で説明すると、支柱部４に設けた高さ調整機構は、図示の実施例の場合には図１０で示すように、肘掛け部６の高さ位置は下降位置と上昇位置の間を１１０ｍｍの可動範囲で昇降移動できるようにしているが、この可動範囲は支柱本体１２や昇降操作部材１３及び側板部材１４，１５などの主要部材の長さを変えることによって、任意に設定することができる。
【００３９】
下部連結体５Ａに設けた水平角度調整機構は、図示の実施例の場合には図１１で示すように、内側位置へ１５度と外側位置へ７５度の位置に各係止片３５を設け、９０度の移動範囲で揺動回転するように設定されているが、係止片３５の位置を変えることによって移動範囲を任意に設定することができる。
【００４０】
上部連結体５Ｂに設けた水平回転調整機構は、図１４で示すように通常時は、旋回回転体４７（４７Ａ，４７Ｂ）が肘掛け部６の長手方向に沿って直列状態で整列しているが、旋回回転体４７を９０度回転させた場合には、旋回回転体４７が肘掛け部６の短手方向に沿って並列状態で整列し、その間に肘掛け部６は向きを一定にした状態で円周上の軌跡を描きながら旋回して横方向及び後方向へ移動するが、図示の実施例の場合には図１２（ａ）で示すように、左又は右に３０ｍｍと後へ３０ｍｍ移動する。
【００４１】
また、この状態から更に９０度すなわち通常時より１８０度回転させると、旋回回転体４７は通常時とは逆向きの状態で肘掛け部６の長手方向に沿って直列状態で整列し、これによって横方向は通常時の状態に復帰するが後方向へは更に移動させることができ、図示の実施例の場合には図１２（ｂ）で示すように、図１２（ａ）の状態から更に後へ３０ｍｍ移動して、通常時の状態から６０ｍｍ移動するように設定されており、この後退位置は支柱部４の直上位置に対する肘掛け部６の前後の長さ寸法を、アンバランスにして寸法差を持たせることによって所望に設定することが可能である。
【００４２】
肘掛け部６に設けた前後スライド調整機構は、図示の実施例の場合には図１３（ａ）で示すように、肘掛け部６は通常時の状態より４０ｍｍスライドして後退するように設定されているが、特に図１４で示すように水平回転調整機構と前後スライド調整機構を組み合わせて使用すると、可動範囲を一段と大きく設定することが可能であり、図示の実施例の場合には図１３（ｂ）で示すように、１８０度回転位置で６０ｍｍ後退して更にスライドによって４０ｍｍ後退するので、合計では１００ｍｍ後退させることができる。
【００４３】
なお、図示の実施例では支柱部４の直上位置に対して、肘掛け部６は前方側を長く後方側を短く形成し、これによって水平回転調整及び前後スライド調整を行った際に肘掛け部６が通常時より後方側へ移動するようにしているが、肘掛け部６の前方側を短く後方側を長く形成して、水平回転調整及び前後スライド調整を行った際に肘掛け部６が通常時より前方側へ移動する形態を採ることもできる。
【００４４】
以上のように、肘掛け装置１では従来行われている高さ位置調整や水平角度調整及び前後スライド調整を行うことができると共に、これに加えて支柱部４と肘掛け部６の回転操作部に水平回転調整機構を設け、旋回回転体４７を時計方向又は反時計方向へ旋回させることによって、肘掛け部６は向きを一定方向にした状態で左右方向及び前後方向へ水平移動させることが可能である。
【００４５】
特に、水平回転調整と前後スライド調整を併用することによって、旋回する旋回回転体４７の任意な水平回転位置から前後スライド調整を行うことができると共に、通常状態から１８０度回転した位置では、前後スライド調整を単独で行った場合に比べて、肘掛け部６の移動範囲を大きくすることができる。
【産業上の利用可能性】
【００４６】
図示の実施例では、肘掛け装置を椅子側に取り付けているが、この肘掛け装置を事務用机などの机側に取り付けて使用することも可能である。
【図面の簡単な説明】
【００４７】
【図１】本発明を適用した肘掛け装置の使用状態を示し、椅子に取付けた使用状態図である。
【図２】肘掛け装置における要部の外観を示す斜視図である。
【図３】肘掛け装置における下部側に設けた支柱部を示す分解斜視図である。
【図４】肘掛け装置における中間部分に設けた回転操作部の下部側を示す分解斜視図である。
【図５】肘掛け装置における中間部分に設けた回転操作部の上部側を示す分解斜視図である。
【図６】肘掛け装置における上部側に設けた肘掛け部を示す分解斜視図である。
【図７】肘掛け装置を肘掛け部の短手方向に沿った断面で示す縦断面図である。
【図８】肘掛け装置を肘掛け部の長手方向に沿った断面で示す縦断面図である。
【図９】肘掛け装置を一部は破断した状態で示す平面図である。
【図１０】肘掛け装置の支柱部に設けた高さ調整機構による調整動作を示す動作説明図である。
【図１１】肘掛け装置の回転操作部に設けた角度調整機構による調整動作を示す動作説明図である。
【図１２】肘掛け装置の回転操作部に設けた回転調整機構による調整動作を示す動作説明図である。
【図１３】肘掛け装置の肘掛け部に設けたスライド調整機構による調整動作を示す動作説明図である。
【図１４】肘掛け装置における回転調整機構とスライド調整機構を併用した調整動作を示す動作説明図である。
【符号の説明】
【００４８】
１   肘掛け装置
２  （椅子の）座席
３  連結具
４  支柱部
５  回転操作部
５Ａ  下部連結体
５Ｂ  上部連結体
６  肘掛け部
７  支持アーム
８  連結板
９  内筒部材
１０  外筒部材
１１  蓋部材
１２  支柱本体
１３  昇降操作部材
１４，１５  側板部材
１９  付勢ばね部材（コイルばね）
２０  係止片
２５  操作レバー
２６ａ，２７ａ  ラック
３２  角度制御板
３３  揺動回転体
４５  プーリ
４６  伝動ベルト
４７  旋回回転体
５６  肘掛けカバー
５７  スライド案内板
５８  スライド板
５９  肘掛けパッド
６３  遊動案内溝孔
６５  摺動片
６７  摺動溝
６８  スライド溝孔
【図１】
2005065815.tif 000003
【図２】
2005065815.tif 000004
【図３】
2005065815.tif 000005
【図４】
2005065815.tif 000006
【図５】
2005065815.tif 000007
【図６】
2005065815.tif 000008
【図７】
2005065815.tif 000009
【図８】
2005065815.tif 000010
【図９】
2005065815.tif 000011
【図１０】
2005065815.tif 000012
【図１１】
2005065815.tif 000013
【図１２】
2005065815.tif 000014
【図１３】
2005065815.tif 000015
【図１４】
2005065815.tif 000016